(57)【要約】【課題】簡易な構成で画像読み取り範囲を自動的に設定して読み取り媒体を読み取ることにより、余分な領域を含まない画像データを取得可能な画像読み取り装置を提供する。【解決手段】データ読み取り装置１は、第１の画像読み取り媒体である小切手Ｓ（もしくは小切手Ｌ）を搬送する第１搬送路Ｐ１と、第２の画像読み取り媒体であるカードＣを搬送する第２搬送路Ｐ２を備えている。そして、データ読み取り装置１は、第１搬送路Ｐ１と第２搬送路Ｐ２の共通部分（中間搬送路Ｍ）に沿って配置され、小切手ＳまたはカードＣを読み取る画像読み取り部（１１，１２）と小切手ＳとカードＣのそれぞれに応じた有効画素領域（画像読み取り範囲）を設定するＣＰＵ５０と、を備えている。画像読み取り部（１１，１２）は、ＣＰＵ５０によって設定された有効画素領域に応じて、小切手ＳまたはカードＣを読み取ることにより２次元画像データを生成する。【選択図】  図６
2005031971.tif 000002
【特許請求の範囲】
【請求項１】
第１の画像読み取り媒体を搬送する第１搬送路と、
第２の画像読み取り媒体を搬送する第２搬送路と、
前記第１搬送路と前記第２搬送路の共通部分に沿って配置され、前記第１の画像読み取り媒体または前記第２の画像読み取り媒体を読み取る画像読み取り部と、
前記第１の画像読み取り媒体と前記第２の画像読み取り媒体のそれぞれに応じた画像読み取り範囲を設定する制御部と、を備え、
前記画像読み取り部は、前記制御部によって設定された画像読み取り範囲に応じて、前記第１の画像読み取り媒体または前記第２の画像読み取り媒体を読み取ることを特徴とする画像読み取り装置。
【請求項２】
前記制御部は、ホストコンピュータから送信される読み取り媒体指定コマンドに応じて、前記画像読み取り範囲を設定することを特徴とする請求項１記載の画像読み取り装置。
【請求項３】
前記第１搬送路内を搬送される前記第１の読み取り媒体を検出する第１読み取り媒体検出器と、
前記第２搬送路内を搬送される前記第２の読み取り媒体を検出する第２読み取り媒体検出器と、を備え、
前記制御部は、前記第１読み取り媒体検出器と前記第２読み取り媒体検出器の検出結果に応じて、前記画像読み取り範囲を決定することを特徴とする請求項１記載の画像読み取り装置。
【請求項４】
前記制御部は、前記第１の読み取り媒体検出器の検出結果に基づき、前記第１の読み取り媒体の幅を検出し、前記第１の読み取り媒体の幅に応じて前記画像読み取り範囲を決定することを特徴とする請求項３記載の画像読み取り装置。
【請求項５】
前記第１の読み取り媒体検出器は、前記第１の読み取り媒体の幅方向に配列された複数の読み取り検出器を有し、前記制御部は、前記複数の読み取り媒体検出器の検出結果に応じて前記第１の読み取り媒体の幅を検出することを特徴とする請求項４記載の画像読み取り装置。
【請求項６】
前記画像読み取り部は、前記第１の読み取り媒体または前記第２の読み取り媒体からの光の受光量に応じた電気信号を生成する複数の光電変換素子を備えた画像読み取りセンサと、前記電気信号をデジタル信号に変換するＡ／Ｄコンバータと、前記デジタル信号を一時的に格納するバッファと、前記デジタル信号を保存するメモリと、を有し、
前記バッファは、前記制御部によって設定された前記画像読み取り範囲に対応する前記デジタル信号を前記メモリに転送することを特徴とする請求項１〜５の何れか１項記載の画像読み取り装置。
【請求項７】
前記画像読み取りセンサは、前記第１の読み取り媒体または前記第２の読み取り媒体の表面を読み取る表面画像読み取りセンサと、前記第１の読み取り媒体または前記第２の読み取り媒体の裏面を読み取る裏面画像読み取りセンサとから構成されることを特徴とする請求項６記載の画像読み取り装置。
【発明の詳細な説明】
【０００１】
【発明の属する技術分野】
本発明は、読み取り媒体を搬送する複数の搬送路を備えた画像読み取り装置に係り、特に、効率的に読み取り媒体の画像を取得することが可能な画像読み取り装置に関する。
【従来の技術】
【０００２】
欧米を中心として、小切手を利用した決済システムが広く普及している。この決済システムにおいては、様々な支払いや送金が小切手の授受によって行われる。使用された小切手は、最終的に銀行に持ち込まれ、入金や換金が行われる。
【０００３】
銀行の各支店の窓口では、短時間に多量の小切手が処理されている。支店の窓口担当の銀行員は、小切手自体の確認、日付の確認、署名の照合等を行った後に入金や換金を行う。また、銀行員は、入手した小切手に裏書を行い、必要に応じてレシートを発行する。また銀行員は、本人確認のために免許証やＩＤカードの提示を顧客に求め、必要に応じて複写機でこの免許証やＩＤカードのコピーを取得したり、スキャナで小切手を読み込んだりして小切手の画像を保管している。
【０００４】
近年、小切手処理の効率化を図るために、小切手を電磁的に読み込む試みが始められている。この一環として小切手の電磁的読み込み作業を銀行の窓口で行おうとする試みも始められてきており、窓口に設置可能な小型の小切手処理装置も提案されている。
【０００５】
この処理装置には、小切手搬送路上に磁気インク読み込み装置、スキャナ及び印刷装置が備えられている。顧客から小切手を受け取った銀行員が、小切手を処理装置に通すと、処理装置は、小切手上に記録された磁気インク文字や小切手上の画像を読み込み、また小切手に裏書を行うように構成されている（特許文献１参照）。
【０００６】
また、出願人は、銀行窓口での業務処理を簡易化するため、特願２００３―０６６７４７において、小切手上の磁気インク文字読み取り、小切手の画像を取得するとともに、本人確認のために免許証、ＩＤカード等の画像を読み取るスキャナ装置を備えた画像読み取り装置（データ読み取り装置）を提案している。本装置によれば、一台の装置で、小切手の画像読み取りと、免許証、ＩＤカード等の画像読み取りを行うことが可能であるため、銀行窓口のような狭小なスペースであっても複数の業務を効率よく行うことが可能である。
【０００７】
【特許文献１】
特開２０００−３４４４２８号公報
【０００８】
【発明が解決しようとする課題】
画像読み取り装置によって読み取られる小切手、免許証、ＩＤカード等は、様々なサイズのものが存在する。例えば、免許証等の幅と小切手の幅は異なっており、また小切手にも種類によって幅が異なっている。したがって銀行の窓口に設置される画像読み取り装置には、読み取り幅として想定される最大のサイズの読み取り媒体（例えば、大型の小切手）が読み取り可能な幅の画像読み取りセンサを備える必要がある。
【０００９】
しかし、この画像読み取りセンサによって小型の読み取り媒体、例えば画像読み取りセンサが読み取ることのできる読み取り幅に対し半分の幅のカードを読み取る場合には、画像読み取りセンサの読み取り範囲にくらべて、カードの幅が狭いため、取得した画像データの半分は、無意味なデータとなってしまう。すなわち、読み取り幅として想定される最大のサイズの読み取り媒体を読み取り可能な画像読み取りセンサを用いると、狭い幅のカードを読み取っても取得される画像データのデータサイズが大きくなってしまうという問題がある。
【００１０】
この問題を解決するためには、（Ａ）予めユーザが読み取り画像のサイズを設定する方法や、（Ｂ）読み取った後で余分なデータを切り取るように画像処理する方法等が考えられる。
しかしながら、（Ａ）の方法では、読み取り媒体の読み取りを実行する毎にユーザがサイズを指定する必要があるため、ユーザへの負担が増し、業務効率が悪くなってしまう。また、（Ｂ）の方法では、画像データを取得する毎に所定のアルゴリズム等により画像データを解析し、必要な領域と余分な領域を判断した後に画像処理を行いデータを切り取る必要があるため、画像読み取り装置の負荷が増大し、データの処理時間が長くなってしまう。また、画像データの解析に誤りがあった場合には、必要な領域までデータを切り取ってしまう恐れもあり、信頼性が高い方法であるとはいえない。
【００１１】
本発明は、上記問題を鑑み、簡易な構成で画像読み取り範囲を自動的に設定して読み取り媒体を読み取ることにより、余分な領域を含まない画像データを取得可能な画像読み取り装置を提供することを目的とする。
【００１２】
【課題を解決するための手段】
本発明の上記目的は、以下の手段により達成される。
（１）  第１の画像読み取り媒体を搬送する第１搬送路と、
第２の画像読み取り媒体を搬送する第２搬送路と、
前記第１搬送路と前記第２搬送路の共通部分に沿って配置され、前記第１の画像読み取り媒体または前記第２の画像読み取り媒体を読み取る画像読み取り部と、
前記第１の画像読み取り媒体と前記第２の画像読み取り媒体のそれぞれに応じた画像読み取り範囲を設定する制御部と、を備え、
前記画像読み取り部は、前記制御部によって設定された画像読み取り範囲に応じて、前記第１の画像読み取り媒体または前記第２の画像読み取り媒体を読み取ることを特徴とする画像読み取り装置。
（２）  前記制御部は、ホストコンピュータから送信される読み取り媒体指定コマンドに応じて、前記画像読み取り範囲を設定することを特徴とする（１）記載の画像読み取り装置。
（３）  前記第１搬送路内を搬送される前記第１の読み取り媒体を検出する第１読み取り媒体検出器と、
前記第２搬送路内を搬送される前記第２の読み取り媒体を検出する第２読み取り媒体検出器と、を備え、
前記制御部は、前記第１読み取り媒体検出器と前記第２読み取り媒体検出器の検出結果に応じて、前記画像読み取り範囲を決定することを特徴とする（１）記載の画像読み取り装置。
（４）  前記制御部は、前記第１の読み取り媒体検出器の検出結果に基づき、前記第１の読み取り媒体の幅を検出し、前記第１の読み取り媒体の幅に応じて前記画像読み取り範囲を決定することを特徴とする（３）記載の画像読み取り装置。
（５）  前記第１の読み取り媒体検出器は、前記第１の読み取り媒体の幅方向に配列された複数の読み取り検出器を有し、前記制御部は、前記複数の読み取り媒体検出器の検出結果に応じて前記第１の読み取り媒体の幅を検出することを特徴とする（４）記載の画像読み取り装置。
（６）  前記画像読み取り部は、前記第１の読み取り媒体または前記第２の読み取り媒体からの光の受光量に応じた電気信号を生成する複数の光電変換素子を備えた画像読み取りセンサと、前記電気信号をデジタル信号に変換するＡ／Ｄコンバータと、前記デジタル信号を一時的に格納するバッファと、前記デジタル信号を保存するメモリと、を有し、
前記バッファは、前記制御部によって設定された前記画像読み取り範囲に対応する前記デジタル信号を前記メモリに転送することを特徴とする（１）〜（５）の何れか一つに記載の画像読み取り装置。
（７）  前記画像読み取りセンサは、前記第１の読み取り媒体または前記第２の読み取り媒体の表面を読み取る表面画像読み取りセンサと、前記第１の読み取り媒体または前記第２の読み取り媒体の裏面を読み取る裏面画像読み取りセンサとから構成されることを特徴とする（６）記載の画像読み取り装置。
【００１３】
【発明の実施の形態】
次に、図面を参照しながら、本発明に係る画像読み取り装置の実施の形態を詳細に説明する。
【００１４】
図１および図２は、それぞれ本実施形態の画像読み取り装置としてのデータ読み取り装置１の概要を示す斜視図である。また、図３は、データ読み取り装置１の搬送経路を示す概略図であり、図４は、データ読み取り装置１の各構成要素を示す概略上面図である。また、図５は、データ読み取り装置１の画像読み取り部を示す概略斜視図である。
【００１５】
本実施形態のデータ読み取り装置１は、第１の読み取り媒体である小切手Ｓを搬送しながら、小切手Ｓ上の画像を読み取り、また小切手Ｓに印字された磁気インク文字を読み取り可能に構成されている。また、データ読み取り装置１は、第２の読み取り媒体であるカードＣを搬送しながらカードＣ上の画像を読み取り可能に構成されている。
【００１６】
まず、データ読み取り装置１の搬送について説明する。データ読み取り装置１は、図３に示すように、小切手Ｓを搬送するＵ字型形状の第１搬送路Ｐ１と、第２の読み込み媒体としてのカードＣを搬送する直線状の第２搬送路Ｐ２を有している。第１搬送路Ｐ１と第２搬送路Ｐ２は、Ｕ形状の底の部分に相当する部位で共通となっている。以下の説明では、この部位を中間搬送路Ｍと呼ぶこととする。この中間搬送路Ｍには、データ読み取り装置１の各種読み取り機構が設けられている。各種読み取り機構の詳細については後述する。
【００１７】
第１搬送路Ｐ１は、図３および図４に示すように、外側ガイド２ａと内側ガイド２ｂによって画成されており、この外側ガイド２ａと内側ガイド２ｂ間の空間である搬送部２ｃ内に小切手Ｓが搬送されるように構成されている。小切手Ｓは、図３の矢印Ａの方向から給紙部３を介して第１搬送路Ｐ１に挿入される。給紙部３は、複数の小切手Ｓを挿入可能に構成されており、複数の小切手Ｓを一枚ずつ第１搬送路Ｐ１内に送り出す。
【００１８】
第１搬送路Ｐ１には、小切手Ｓの搬送を行う搬送機構として、中間搬送路Ｍの上流側に第１搬送ローラ６と、中間搬送路Ｍ中に押えローラ１６と、中間搬送路Ｍの下流側に第２搬送ローラ７が設けられている。
第１搬送ローラ６は、駆動ローラ６ａと、第１搬送路Ｐ１を介して駆動ローラ６ａに対向配置された押し付けローラ６ｂとを有している。また、第２搬送ローラ７は、駆動ローラ７ａと、第１搬送路Ｐ１を介して駆動ローラ７ａに対向配置された押し付けローラ７ｂとを有している。
また、押えローラ１６は、図１および図４に示すように、第１搬送路Ｐ１の下方に配置された一対の下部押えローラ１６ｂと、下部押えローラ１６ｂの上方に配置された一対の上部押えローラ１６ａとを有している。この一対の上部押えローラ１６ａと下部押えローラ１６ｂの各ローラは、それぞれ共通の回転軸を有し、一方が回転することにより他方も同一回転数で回転する。
【００１９】
第１搬送路Ｐ１内に送り出された小切手Ｓは、図１および図４に示すように、第１搬送ローラ６、押えローラ１６、第２搬送ローラ７によって中間搬送路Ｍ内を搬送され、排出ローラ８を介して矢印Ｂの方向へ排出される。また、本実施形態では、図１に示すように、第１搬送路Ｐ１の底部位置は高さＬ１に保たれており、小切手Ｓは中間搬送路Ｍを含む第１搬送路Ｐ１の底部に沿って高さＬ１を基準とした状態で搬送される。ここで、押えローラ１６に関しては、小切手Ｓの幅（高さ）が所定長さより短ければ、押えローラ１６の下部押えローラ１６ｂのみが小切手Ｓの搬送に寄与し、一方小切手Ｓの幅が所定長さ以上であれば上部押えローラ１６ａと下部押えローラ１６ｂの双方によって小切手Ｓは搬送される。
【００２０】
一方、第２搬送路Ｐ２は、図３および図４に示すように、中間搬送路Ｍと、その両端に連通するカード挿入口２０およびカード逆転路２１とから構成されている。
【００２１】
カード挿入口２０は、カードＣを中間搬送路Ｍに挿入するための挿入口である。カード挿入口２０の下方には、図１および図４に示すように、下部ガイド２４が設けられている。この下部ガイド２４は、カードＣの下端部の高さをＬ２に保ち、カードＣは、この下部ガイド２４に案内されて、中間搬送路Ｍに挿入され、高さＬ２を基準とした状態で搬送される。すなわち、第２搬送路Ｐ２の位置は、高さＬ２が基準となっている。
前述の上部押えローラ１６ａは、第２搬送路Ｐ２の高さＬ２よりも上方に取り付けられており、中間搬送路Ｍ内に搬送されたカードＣは、この上部押えローラ１６ａによって中間搬送路Ｍ内を搬送される。
【００２２】
カード逆転路２１は、図２中間搬送路Ｍの左側延長線に沿って形成された直線ガイド２１ａ、２１ｂによって形成されている。このカード逆転路２１の端部２１ｃ近傍には、正逆転搬送ローラ２２が設けられている。この正逆転搬送ローラ２２は、中間搬送路Ｍから搬送されたカードＣを所定長さカード逆転路２１の端部２１ｃから張り出させるように搬送し、そして端部２１ｃから張り出したカードＣを再度中間搬送路Ｍに搬送する。
【００２３】
具体的に、カードＣは、カード挿入口２０から中間搬送路Ｍ内に挿入されると、上部押えローラ１６ａによってカード逆転路２１まで搬送される。そして、カードＣは、このカード逆転路２１から正逆転搬送ローラ２２によって逆転搬送され、中間搬送路Ｍを通ってカード挿入口２０から排出される。このとき、カードＣは、第２搬送路Ｐ２内を下端部が高さＬ２に保たれた状態で搬送される。本実施形態では、第２搬送路Ｐ２の高さＬ２は、第１搬送路Ｐ１の高さＬ１よりも高い位置に配置されている。すなわち、カードＣは、中間搬送路Ｍ内を小切手Ｓよりも上方を通って搬送される。
【００２４】
本実施形態では、以上説明したように、小切手ＳとカードＣの搬送高さを変えることによって、特別な切替装置等を設けずに、Ｕ字型の第１搬送路と直線状の第２搬送路に異なる種類の読み込み媒体を搬送することができる。小切手ＳおよびカードＣの搬送についての説明は、以上である。
【００２５】
中間搬送路Ｍには、画像読み取りを行う第１の画像読み取りセンサ１１および第２の画像読み取りセンサ１２が設置されている。第１の画像読み取りセンサ１１および第２の画像読み取りセンサ１２は、それぞれＣＩＳ（Ｃｏｎｔａｃｔ  Ｉｍａｇｅ  Ｓｅｎｓｏｒ）タイプの画像読み取りセンサであり、中間搬送路Ｍを搬送される小切手ＳまたはカードＣの一面に光を照射し、小切手ＳまたはカードＣ上で反射した光を受光領域１１ｃ，１２ｃで受光する。受光領域１１ｃ，１２ｃには、図示せぬ複数の光電変換素子が長手方向（小切手Ｓ、カードＣの幅方向）に１列に配列されており、各光電変換素子は受光した光量に応じた電気信号を生成する（図５（ｂ）参照）。第１の画像読み取りセンサ１１および第２の画像読み取りセンサ１２は、中間搬送路Ｍ内を搬送される小切手ＳまたはカードＣ上の画像を１ラインずつ読み取ることにより、小切手ＳまたはカードＣの二次元画像が生成される。
【００２６】
図５（ａ）に示すように、第１の画像読み取りセンサ１１と第２の画像読み取りセンサ１２は、搬送方向にずれた状態で中間搬送路Ｍの両側にそれぞれ配置されている。本実施形態のデータ読み取り装置１は、この第１の画像読み取りセンサ１１と第２の画像読み取りセンサ１２によって、スリップ紙ＳまたはカードＣの表面および裏面についての画像を一度の搬送で取得可能に構成されている。
【００２７】
また、中間搬送路Ｍを介して第１の画像読み取りセンサ１１に対向する位置には、第１の押し付け部材１１ａ，１１ｂが設けられている。第１の押し付け部材１１ａと第２の押し付け部材１１ｂは、図５（ａ）に示すように、高さ方向（小切手Ｓ、カードＣの幅方向）にずれて配置されている。上方に配置された第１の押し付け部材１１ａは、中間搬送路Ｍ内を高さＬ２を基準として搬送されるカードＣを第１の画像読み取りセンサ１１に対して押し付ける部材である。一方、下方に配置された第１の押し付け部材１１ｂは、中間搬送路Ｍ内を高さＬ１を基準として搬送されるスリップ紙Ｓを第１の画像読み取りセンサ１１に対して押し付ける部材である。第１の画像読み取りセンサ１１は、これらの第１の押し付け部材１１ａ，１１ｂによって適切な押し付け圧によって小切手ＳまたはカードＣが押し付けられた状態で、小切手ＳまたはカードＣ上の画像を読み取る。
【００２８】
同様に、中間搬送路Ｍを介して第２の画像読み取りセンサ１２に対向する位置には、第２の押し付け部材１２ａ，１２ｂが設けられている。第１の押し付け部材１２ａと第２の押し付け部材１２ｂは、図５（ａ）に示すように、高さ方向（小切手Ｓ、カードＣの幅方向）にずれて配置されている。上方に配置された第２の押し付け部材１２ａは、中間搬送路Ｍ内を高さＬ２を基準として搬送されるカードＣを第２の画像読み取りセンサ１２に対して押し付ける部材である。一方、下方に配置された第２の押し付け部材１２ｂは、中間搬送路Ｍ内を高さＬ１を基準として搬送されるスリップ紙Ｓを第２の画像読み取りセンサ１２に対して押し付ける部材である。第２の画像読み取りセンサ１２は、これらの第２の押し付け部材１２ａ，１２ｂによって適切な押し付け圧によって小切手ＳまたはカードＣが押し付けられた状態で、小切手ＳまたはカードＣ上の画像を読み取る。
【００２９】
また、押し付けローラ１６の下方には、ＭＩＣＲ（Ｍａｇｎｅｔｉｃ  Ｉｎｃ  Ｃｈａｒａｃｔｅｒ  Ｒｅａｄｅｒ）１３が設置されている。ＭＩＣＲ１３は、小切手Ｓ上に磁気インクで記載された情報を読み込むためのセンサである。このＭＩＣＲ１３は、中間搬送路Ｍを介してＭＩＣＲ１３に対向配置されたＭＩＣＲ押付器１３ａによって小切手ＳがＭＩＣＲ１３の表面に押し付けられた状態で読み取りを実行する。
【００３０】
第１用紙搬送路Ｐ１には、小切手Ｓの後端を検出するＢＯＦ（Ｂｏｔｔｏｍ  Ｏｆ  Ｆｏｒｍ）検出器９とＴＯＦ（Ｔｏｐ  Ｏｆ  Ｆｏｒｍ）検出器１０が設けられている。ＢＯＦ検出器９は、給紙部３と第１搬送ローラ６の間に設けられており、給紙部３から挿入された小切手Ｓを検出するととともに、ＢＯＦ検出器９を小切手Ｓが通過した時点を検出して、小切手Ｓの後端を検知する。ＴＯＦ検出器１０は、第１搬送ローラ６と第１の画像読み取りセンサ１１との間に設けられており、小切手Ｓの先端を検出するように構成されている。このように、ＢＯＦ検出器９、ＴＯＦ検出器１０により、小切手Ｓの先端・後端を検出することにより、小切手Ｓの長さを正確に測定することができる。本実施形態のデータ読み取り装置１は、このＢＯＦ検出器９とＴＯＦ検出器１０による小切手Ｓ検出に応じて動作するように構成されている。即ち、画像読み取りセンサ１１、１２による小切手Ｓの読み取りの開始・停止は、ＢＯＦ検出器９、ＴＯＦ検出器１０の出力に基づいて制御される。なお、画像読み取りセンサ１１、１２のいずれか一方を、小切手Ｓの先端を検出する検出器として用いても良く、この場合、ＴＯＦ検出器１０を省略できる。
【００３１】
また、第２搬送ローラ７と排出ローラ８との間であって、第１搬送路Ｐ１に沿った直線領域には、印刷ヘッド１４が配置されている。この印刷ヘッド１４は、小切手Ｓへの裏書を実行するためのものであり、必要に応じて小切手Ｓへの印字を行う。
【００３２】
また、第２用紙搬送路Ｐ２には、カードＣの後端を検出するＢＯＣ（Ｂｏｔｔｏｍ  Ｏｆ  Ｃａｒｄ）検出器２５とＴＯＣ（Ｔｏｐ  Ｏｆ  Ｃａｒｄ）検出器２６が設けられている。ＢＯＣ検出器２５は、カード挿入口２０近傍に設けられており、ここから挿入されたカードＣを検出するととともに、ＢＯＣ検出器９をカードＣが通過した時点を検出して、カードＣの後端を検知する。ＴＯＣ検出器２６は、押えローラ１６と第２の画像読み取りセンサ１２との間に設けられており、カードＣの先端を検出するように構成されている。このように、ＢＯＣ検出器２５、ＴＯＣ検出器２６により、カードＣの先端・後端を検出することにより、カードＣの長さを正確に測定することができる。本実施形態のデータ読み取り装置１は、このＢＯＣ検出器２５とＴＯＣ検出器２６によるカードＣの検出に応じて動作するように構成されている。即ち、画像読み取りセンサ１１又は１２によるカードＣの読み取りの開始・停止は、ＢＯＣ検出器２５、ＴＯＣ検出器２６の出力に基づいて制御される。なお、画像読み取りセンサ１１、１２のいずれか一方を、カードＣの先端を検出する検出器として用いても良く、この場合、ＴＯＣ検出器２６を省略できる。
【００３３】
次に、図６を参照しながら、本実施形態のデータ読み取り装置１の回路構成について説明する。図６は、本実施形態のデータ読み取り装置１の制御を行う回路構成を示すブロック図である。
【００３４】
データ読み取り装置１では、ＣＰＵ５０を中心として各種機能部が接続されて回路が構成されている。ＣＰＵ５０は、ＲＯＭ５１に予め保存された所定のファームウェア（プログラム）を実行することにより各種制御を実行し、データ読み取り装置１を制御している。すなわち、ＣＰＵ５０は、ＢＯＦ検出器９、ＴＯＦ検出器１０、ＢＯＣ検出器２５からの検出信号に応じて、モータ５６を駆動制御することにより、第１搬送ローラ６，押えローラ１６、第２搬送ローラ７、排出ローラ８、押し付け部材１１ａ，  １１ｂ，１２ａ，１２ｂを駆動し小切手ＳまたはカードＣの搬送する。そして、ＣＰＵ５０は、ＭＩＣＲ１３を用いた磁気文字読み取り処理、第１の画像読み取りセンサ１１または第２の画像読み取りセンサ１２を用いた画像読み取り処理、印刷ヘッド１４を用いた小切手Ｓへの印字処理等を実行する。
【００３５】
ＲＡＭ５２は、データ読み取り装置１のデータ記憶領域であり、第１の画像読み取りセンサ１１または第２の画像読み取りセンサ１２によって読み取られた画像が保存されたり、ホストコンピュータ１００から送信される各種コマンドを一時的に保存したりする。
【００３６】
通信制御部５３は、データ読み取り装置１の外部入出力インターフェースとして構成され、ホストコンピュータ１００との通信を行う制御部である。ホストコンピュータ１００から送信される各種コマンドは、通信制御部５３によって受信され、ＲＡＭ５２内の受信バッファに保存される。そして、ＣＰＵ５０がＲＡＭ５２内の受信バッファに保存された各種コマンドの解析及び処理を実行することにより、コマンドに応じた各種処理が実行される。
【００３７】
次に、第１の画像読み取りセンサ１１または第２の画像読み取りセンサ１２を用いた画像読み取り処理について説明を行う。本実施形態の画像読み取り部は、第１の画像読み取りセンサ１１と、第２の画像読み取りセンサ１２と、Ａ／Ｄコンバータ５４と、ゲートアレイ５５と、ＲＡＭ５２によって構成される。
【００３８】
第１の画像読み取りセンサ１１または第２の画像読み取りセンサ１２によって読み取りが実行され、生成された電気信号は、各光電変換素子から順にＡ／Ｄコンバータ５４に送られ、デジタル信号に変換される。ここでは、例えば８ビット（２５６階調）でＡ／Ｄ変換されて、デジタル信号が生成される。Ａ／Ｄ変換後のデジタル信号は、ゲートアレイ５５に送られる。
【００３９】
ゲートアレイ５５は、Ａ／Ｄコンバータ５４を介して送られた第１の画像読み取りセンサ１１または第２の画像読み取りセンサ１２からの信号を一時保存するラインバッファである。ゲートアレイ５５には、第１の画像読み取りセンサ１１または第２の画像読み取りセンサ１２によって順次読み取られた１ライン分の画像データ（１次元画像データ）が順次保存される。そして、ゲートアレイ５５に保存された１次元画像データは、順にＲＡＭ５２内の画像バッファ領域に保存され、ＲＡＭ５２内に二次元画像データが生成される。図６では、Ａ／Ｄコンバータ５４およびゲートアレイ５５を第１の画像読み取りセンサ１１または第２の画像読み取りセンサ１２によって共用するように構成しているが、それぞれの画像読み取りセンサ毎にＡ／Ｄコンバータ５４およびゲートアレイ５５を設けるように構成してもよい。
【００４０】
本実施形態では、ゲートアレイ５５は、ＲＡＭ５２に１次元画像データを転送する際、読み取り媒体（小切手ＳまたはカードＣ）の幅に対応する部分のみをＲＡＭ５２に転送するように構成されている。以下、図７及び図８を参照しながら具体的に説明する。
【００４１】
図７は、読み取り媒体の幅と、ゲートアレイ５５によるＲＡＭ５２への転送部分の関係を示す図である。第１の画像読み取りセンサ１１または第２の画像読み取りセンサ１２は、読み取り媒体の幅に関わらず、全ての光電変換素子を用いて読み取り媒体を読み取る。一方、第１の画像読み取りセンサ１１または第２の画像読み取りセンサ１２によって生成され、デジタル信号を受け取ったゲートアレイ５５は、ゲートアレイ５５に格納された１次元画像データのうち、読み取り画像の幅に対応した部分のみをＲＡＭ５２に転送し、残りの部分は破棄する。
【００４２】
図７を参照しながら、このゲートアレイ５５の処理について、第１の画像読み取りセンサ１１の場合を例に詳細に説明する。小切手Ｓが高さＬ１を基準として搬送されると、第１の画像読み取りセンサ１１によって小切手Ｓ上の画像が読み取られる。このとき、小切手Ｓは、第１の画像読み取りセンサ１１の全受光領域１１ｃによって読み取りが行われる。全受光領域１１ｃのうち、小切手Ｓの幅に対応する受光領域１１ｄは、小切手Ｓの画像を取得しているが、小切手Ｓの幅に対応しない受光領域１１ｅは、小切手Ｓの画像取得に寄与していない。
【００４３】
ゲートアレイ５５には、全受光領域１１ｃによって生成されデジタル変換されたすべてのデジタル信号５５ａが格納される。そして、ゲートアレイ５５は、小切手Ｓの幅に対応する受光領域１１ｄから生成されたデジタル信号５５ｂのみを有効読み取り画素としてＲＡＭ５２に転送し、小切手Ｓの幅に対応しない受光領域１１ｅから生成されたデジタル信号５５ｃの転送は行わない。
【００４４】
また、図８（ａ）に示すように、小切手Ｓよりも大型で画像読み取りセンサ１１の受光領域ｃに対応する小切手Ｌの読み取りを行う場合には、ゲートアレイ５５は、小切手Ｌの幅に対応する受光領域１１ｄは、全受光領域１１ｃであるとして、読み取られた全てのデジタル信号を有効読み取り画素としてＲＡＭ５２に転送する。
【００４５】
また、図８（ｂ）に示すように、高さＬ２を基準として搬送されるカードＣの読み取りを行う場合には、ゲートアレイ５５は、カードＣの幅に対応する受光領域１１ｄから生成されたデジタル信号のみを有効読み取り画素としてＲＡＭ５２に転送し、カードＣの幅に対応しない受光領域１１ｅから生成されたデジタル信号の転送は行わない。
【００４６】
本実施形態では、このゲートアレイ５５からＲＡＭ５２への転送は、ホストコンピュータ１００から送信された読み取り媒体指定コマンドを参照して行われる。すなわち、小切手Ｓ（または小切手Ｌ）の読み取りが行われる場合には、読み取り媒体指定コマンドをホストコンピュータ１００から受け取ることにより、第１の搬送路Ｐ１に小切手Ｓ（または小切手Ｌ）が搬送される準備がなされる。このとき、ＣＰＵ１００は、ゲートアレイ５５に小切手Ｓ（または小切手Ｌ）に対応する有効読み取り画素を設定する。ここでは、小切手のサイズは、予め小切手Ｓのサイズかまたは小切手Ｌのサイズの何れかに設定されている。
【００４７】
そして、実際に第１の画像読み取りセンサ１１によって読み取りが実施されると、ゲートアレイ５５は、この有効読み取り画素として設定された受光領域に対応するデジタル信号５５ｂのみをＲＡＭ５２へ転送する。これにより、有効読み取り画素として設置された受光領域に対応するデジタル信号５５ｂによってのみ二次元画像データが生成される。
【００４８】
上記説明では、第１の画像読み取りセンサ１１を例に説明を行ったが、第２の画像読み取りセンサ１２の場合であっても同様であり、ゲートアレイ５５は、小切手Ｓ（小切手ＬまたはカードＣ）の幅に対応する第２の画像読み取りセンサ１２の受光領域から生成されたデジタル信号５５ｂのみを有効読み取り画素としてＲＡＭ５２に転送し、小切手Ｓ（小切手ＬまたはカードＣ）の幅に対応しない第２の画像読み取りセンサ１２の受光領域から生成されたデジタル信号５５ｃの転送は行わない。
【００４９】
次に、図９に示すフローチャートを参照しながら、第１の画像読み取りセンサ１１または第２の画像読み取りセンサ１２による読み取り動作を順を追って説明する。まず、データ読み取り装置１は、通信制御部５３を介してホストコンピュータ１００から読み取り媒体指定コマンドを受信する（ステップＳ１０１）。ＣＰＵ５０は、この受信した読み取り媒体指定コマンドを解析して、小切手Ｓ（または小切手Ｌ）を読み取るのか、それともカードＣを読み取るのかを判断する（ステップＳ１０２）。
【００５０】
そして、コマンド解析の結果、小切手Ｓ（以下、小切手Ｓを読み取るとして説明する）を読み取る場合には、小切手Ｓの読み取り経路を設定し、そしてゲートアレイ５２に小切手Ｓの搬送基準高さＬ１と、小切手Ｓの幅に対応した有効画素領域を設定して、読み取り待ち状態となる（ステップＳ１０３）。
【００５１】
小切手ＳがＢＯＦ検出器９にて検出されると（ステップＳ１０４）、モータ５６は、各種搬送ローラを駆動して小切手Ｓを所定送り量だけ搬送し、小切手Ｓを画像読み取りセンサ１１または画像読み取りセンサ１２による画像読み取りを開始する。ここでは、画像読み取りセンサ１１または画像読み取りセンサ１２は、順方向に送り出される小切手Ｓをすべての光電変換素子を用いて１ラインずつ画像を読み取る（ステップＳ１０５）。
【００５２】
画像読み取りセンサ１１または１２により読み取られて生成された１ライン分の電気信号は、Ａ／Ｄ変換されてゲートアレイ５５に一時的に格納保存される。ゲートアレイ５５中では、各光電変換素子の並び順にしたがってライン上に格納され、１次元画像データとされる（ステップＳ１０６）。
【００５３】
そして、ゲートアレイ５５は、設定された有効画素領域を参照し、設定された有効画素領域に対応する光電変換素子から生成された１次元画像データ中のデジタル信号のみをＲＡＭ５２に転送する（ステップＳ１０７）。そして、全てのラインの読み取りが終了するまで、ステップＳ１０５〜ステップＳ１０７までの動作を繰り返す（ステップＳ１０８）。これにより、ＲＡＭ５２には、有効画素領域に対応した部分のみを含む小切手Ｓの二次元画像データが生成される。
【００５４】
なお本実施形態では、ＢＯＦ検出器９およびＴＯＦ検出器１０により検出された小切手Ｓの先端および後端の情報と、小切手Ｓの搬送を行う各種搬送ローラを駆動するモータのステップ数とに基づき、小切手Ｓの長さを把握した上で、小切手Ｓの読み取りライン数が決定されている。これにより、小切手Ｓの長さに応じたライン数だけ、１次元画像データを取得するように構成されている。
【００５５】
一方、コマンド解析の結果、カードＣを読み取る場合には、カードＣの読み取り経路を設定し、そしてゲートアレイ５２にカードＣの搬送基準高さＬ２と、カードＣの幅に対応した有効画素領域を設定して、読み取り待ち状態となる（ステップＳ１１０）。
【００５６】
カードＣがＢＯＣ検出器２５にて検出されると（ステップＳ１１１）、モータ５６は、各種搬送ローラを駆動してカードＣをカード逆転路２１まで搬送し、そして順方向に逆転搬送して所定送り量搬送した後、カードＣを画像読み取りセンサ１１または画像読み取りセンサ１２による画像読み取りを開始する。ここでは、画像読み取りセンサ１１または画像読み取りセンサ１２は、順方向に送り出されるカードＣをすべての光電変換素子を用いて１ラインずつ画像を読み取る（ステップＳ１１２）。
【００５７】
画像読み取りセンサ１１または１２により読み取られて生成された１ライン分の電気信号は、Ａ／Ｄ変換されてゲートアレイ５５に一時的に格納保存される。ゲートアレイ５５中では、各光電変換素子の並び順にしたがってライン上に格納され、１次元画像データとされる（ステップＳ１１３）。
【００５８】
そして、ゲートアレイ５５は、設定された有効画素領域を参照し、設定された有効画素に対応する光電変換素子から生成された１次元画像データ中のデジタル信号のみをＲＡＭ５２に転送する（ステップＳ１１４）。そして、全てのラインの読み取りが終了するまで、ステップＳ１１２〜ステップＳ１１４までの動作を繰り返す（ステップＳ１１５）。これにより、ＲＡＭ５２には、有効画素領域に対応した部分のみを含むカードＣの二次元画像データが生成される。
以上により、小切手ＳまたはカードＣの画像読み取りが実行される。
【００５９】
なお本実施形態では、ＢＯＣ検出器２５およびＴＯＣ検出器２６により検出されたカードＣの先端および後端の情報と、カードＣの搬送を行う各種搬送ローラを駆動するモータのステップ数とに基づき、カードＣの長さを把握した上で、カードＣの読み取りライン数が決定されている。これにより、カードＣの長さに応じたライン数だけ、１次元画像データを取得するように構成されている。
【００６０】
以上の説明では、ゲートアレイ５５に設定される有効画素領域は、読み取り媒体指定コマンドに応じて設定されるとしたが、これに限られることはなく、例えば、以下のような変形例も考えられる。
【００６１】
図１０は、本実施形態の変形例におけるＢＯＦ検出器９の設置状態を示す図である。本変形例では、ＢＯＦ検出器９は、第１搬送路Ｐ１を搬送される小型の小切手Ｓを検出する下部ＢＯＦ検出器９ｂと、第１搬送路Ｐ１を搬送される大型の小切手Ｌを検出する上部ＢＯＦ検出器９ａとを有している。すなわち、本変形例では、第１搬送路Ｐ１を搬送される小切手の幅を２段階にわたって検出可能に構成されている。また、本実施形態では、小切手Ｓ（またはＬ）は、挿入されて搬送待ちの状態で、ＢＯＦ検出器９によって検出されるように構成されている。その他の構成は、図１〜６に示すものと同一である。
【００６２】
そして、本変形例では、読み取り媒体指定コマンドによって有効画素領域が設定されるのではなく、このＢＯＦ検出器９（９ａ，９ｂ）による小切手Ｓもしくは小切手Ｌの検出、またはＢＯＣ検出器２５によるカードＣの検出をトリガーとして有効画素領域が設定される。
【００６３】
図１１及び図１２は、本変形例における処理動作を説明するフローチャートである。以下、このフローチャートを参照しながら、本変形例における第１の画像読み取りセンサ１１または第２の画像読み取りセンサ１２による読み取り動作を説明する。
【００６４】
まず、ユーザが小切手Ｓ（もしくはＬ）またはカードＣをデータ読み取り装置１に挿入すると（ステップＳ２０１）、データ読み取り装置１は、挿入された小切手Ｓ（もしくはＬ）またはカードＣの検出を行う。ここでは、ステップＳ２０２〜Ｓ２０４の動作を連続的に行うことによって小切手Ｓ（もしくはＬ）またはカードＣを検出する。
【００６５】
具体的には、下部ＢＯＦ検出器９ｂがＯＮであるかどうかを検出し（ステップＳ２０２）、小切手Ｓ（もしくはＬ）が検出されてＯＮであれば、ステップＳ２０３に移行する。そして、ステップＳ２０３では、上部ＢＯＦ検出器９ａがＯＮであるかどうかを検出する。そして上部ＢＯＦ検出器９ａがＯＮであれば、小切手Ｌが挿入されたとして、ステップＳ２０５に移行する。一方、上部ＢＯＦ検出器９ａがＯＦＦであれば、小切手Ｓが挿入されたとしてステップＳ２０５に移行する。
【００６６】
一方、ステップＳ２０２にて、下部ＢＯＦ検出器９ｂがＯＦＦであれば、ステップＳ２０４に移行し、ＢＯＣ検出器２５がＯＮであるかどうかを検出する。そして、ＢＯＣ検出器２５がＯＮであれば、カードＣが挿入されたとしてステップＳ２０５に移行する。一方、ＢＯＣ検出器２５がＯＦＦであれば、小切手Ｓ（もしくはＬ）とカードＣの何れも挿入されていないとして、ステップＳ２０２に戻る。
【００６７】
ステップＳ２０５では、ＣＰＵ５０は、上部ＢＯＦ検出器９ａ、下部ＢＯＦ検出器９ｂ、及びＢＯＣ検出器２５の検出結果に応じて、ＲＡＭ５２内に保存されているステータス情報を書き換える。ＲＡＭ５２内のステータス情報が書き換えられると、ファームウェアに組み込まれたＡＳＢ（Ａｕｔｏ  Ｓｔａｔｕｓ  Ｂａｃｋ）機能が作動し、ＲＡＭ５２内のステータス情報が通信制御部５３を介して自動的にホストコンピュータ１００に通知される（ステップＳ２０６）。
【００６８】
ホストコンピュータ１００は、データ読み取り装置１からステータス情報を受け取る（ステップＳ２０７）と、データ読み取り装置１内に小切手Ｓ、小切手ＬまたはカードＣが挿入されたことを認識する。そして、ステップＳ２０８にて、画像読み取りの実行を行うと判断すると、小切手Ｓ、小切手ＬまたはカードＣの画像読み取りを指示する画像読み取りコマンドをデータ読み取り装置１に送信する（ステップＳ２０９）。ここで、ステップＳ２０８の判断は、ユーザがホストコンピュータ１００を操作することによって画像読み取りを行うと判断してもよい。また、ホストコンピュータ１００が、小切手Ｓ、小切手ＬまたはカードＣが挿入されたことを認識すると自動的に画像読み取りを行うと判断するように設定されていてもよい。
【００６９】
データ読み取り装置１は、ホストコンピュータから画像読み取りコマンドを受け取ると、画像読み取りコマンドに対応した読み取り経路の設定を行い、そしてゲートアレイ５２に読み取り媒体の幅及び読み取り媒体の搬送基準高さＬ１またはＬ２に対応した有効画素領域を設定する（ステップＳ２１０）。そして、有効画素領域の設定が完了すると、データ読み取り装置１は、小切手Ｓ、小切手ＬまたはカードＣの搬送を開始し、画像読み取りセンサ１１，１２またはその双方による画像読み取りを開始する（ステップＳ２１１）。
【００７０】
ここでは、画像読み取りセンサ１１または画像読み取りセンサ１２は、順方向に送り出されるカードＣをすべての光電変換素子を用いて１ラインずつ画像を読み取る（ステップＳ２１２）。画像読み取りセンサ１１または１２により読み取られて生成された１ライン分の電気信号は、Ａ／Ｄ変換されてゲートアレイ５５に一時的に格納保存される。ゲートアレイ５５中では、各光電変換素子の並び順にしたがってライン上に格納され、１次元画像データとされる（ステップＳ２１３）。
【００７１】
そして、ゲートアレイ５５は、設定された有効画素領域を参照し、設定された有効画素に対応する光電変換素子から生成された１次元画像データ中のデジタル信号のみをＲＡＭ５２に転送する（ステップＳ２１４）。そして、全てのラインの読み取りが終了するまで、ステップＳ１１２〜ステップＳ１１４までの動作を繰り返す（ステップＳ２１５）。これにより、ＲＡＭ５２には、有効画素領域に対応した部分のみを含むカードＣの二次元画像データが生成される。
以上により、小切手Ｓ（もしくは小切手Ｌ）またはカードＣの画像読み取りが実行される。
【００７２】
なお本実施形態では、小切手Ｓ（もしくはＬ）の読み取りの場合には、ＢＯＦ検出器９およびＴＯＦ検出器１０により検出された小切手Ｓ（もしくはＬ）の先端および後端の情報と、小切手Ｓの搬送を行う各種搬送ローラを駆動するモータのステップ数とに基づき、小切手Ｓの長さを把握した上で、小切手Ｓの読み取りライン数が決定されている。また、カードＣの読み取りの場合には、ＢＯＣ検出器２５およびＴＯＣ検出器２６により検出されたカードＣの先端および後端の情報と、カードＣの搬送を行う各種搬送ローラを駆動するモータのステップ数とに基づき、カードＣの長さを把握した上で、カードＣの読み取りライン数が決定されている。これにより、小切手Ｓ（もしくはＬ）またはカードＣの長さに応じたライン数だけ、１次元画像データを取得するように構成されている。
【００７３】
以上説明を行ったように、本実施形態の画像読み取り装置としてのデータ読み取り装置１は、第１の画像読み取り媒体である小切手Ｓ（または小切手Ｌ）を搬送する第１搬送路Ｐ１と、第２の画像読み取り媒体であるカードＣを搬送する第２搬送路Ｐ２を備えている。そしてデータ読み取り装置１は、第１搬送路Ｐ１と第２搬送路Ｐ２の共通部分（中間搬送路Ｍ）に沿って配置され、小切手ＳまたはカードＣを読み取る画像読み取り部（１１，１２）と小切手ＳとカードＣのそれぞれに応じた有効画素領域（画像読み取り範囲）を設定するＣＰＵ５０と、を備えており、この画像読み取り部（１１，１２）は、ＣＰＵ５０によって設定された有効画素領域に応じて、小切手ＳまたはカードＣを読み取ることにより２次元画像データが生成される。
【００７４】
本実施形態によれば、読み取られて生成された２次元画像データは、画像読み取り部（１１，１２）により自動的に有効画素領域に対応した部分のみとなるように構成されている。すなわち、取得した２次元画像データは、生成された時点で小切手ＳまたはカードＣの認識に不要なデータが削ぎ落とされた状態となっており、必要最小限の画像データとなっている。したがって、生成された２次元画像データのデータ量を小さくすることが可能であり、データ生成後に行われる圧縮処理や、データ転送処理におけるデータ読み取り装置１の負荷を軽減させることが可能となる。
【００７５】
また、本実施形態によれば、２次元画像データを生成した後に、画像処理を行って余分なデータを切り取るデジタル処理等を行う必要が無いため、データ読み取り装置１内部でのデジタル処理を減らすことができ、データ読み取り装置１にかかる負荷を軽減させることが可能となる。
【００７６】
また、従来のデータ読み取り装置では、生成された時点で小切手ＳまたはカードＣの認識に不要なデータが含まれており、このデータをデータ読み取り装置にて画像処理を行わない場合には、ホストコンピュータ側で画像処理を行う必要がある。しかしながら、本実施形態のデータ読み取り装置１によれば、ホストコンピュータ１００に送信されるデータには、既に不要なデータが含まれていないため、ホストコンピュータ１００における画像処理が不要であり、ホストコンピュータ１００の負荷を低減させることも可能である。
【００７７】
また、本実施形態によれば、ＣＰＵ５０は、ホストコンピュータ１００から送信される読み取り媒体指定コマンドに応じて、有効画素領域を設定する。したがって、ユーザによる特別な指定を行う必要なく、読み取り媒体である小切手Ｓ（もしくはＬ）またはカードＣの別に応じて、有効画素領域を設定することが可能である。したがって、読み取り媒体の読み取りを実行する毎にユーザがサイズを指定することなく、小切手Ｓ（もしくはＬ）とカードＣに応じた読み取り領域を設定することが可能である。したがって、ユーザへの負担が軽減し、業務効率が向上する。
【００７８】
また、本実施形態によれば、第１搬送路Ｐ１内を搬送される小切手Ｓを検出するＢＯＦ検出器９と、第２搬送路Ｐ２内を搬送されるカードＣを検出するＢＯＣ検出器２５と、を備え、ＣＰＵ５０は、ＢＯＦ検出器９とＢＯＣ検出器２５の検出結果に応じて、有効画素領域を決定するように構成することも可能である。このような構成であっても、ユーザによる特別な指定を行う必要なく、読み取り媒体である小切手Ｓ（もしくはＬ）またはカードＣの別に応じて、有効画素領域を設定することが可能である。したがって、読み取り媒体の読み取りを実行する毎にユーザがサイズを指定することなく、小切手Ｓ（もしくはＬ）とカードＣに応じた読み取り領域を設定することが可能であるため、ユーザへの負担が軽減し、業務効率が向上する。
【００７９】
また、ＣＰＵ５０は、小切手Ｓと小切手Ｌを区別して検出する上部ＢＯＦ検出器９ａと下部ＢＯＦ検出器９ｂとを設け、これにより小切手の幅、すなわち小切手Ｓまたは小切手Ｌの区別を行い、この小切手の幅に応じて有効画素領域を決定するように構成してもよい。このように構成することにより、有効画素領域を小切手の幅に応じて決定することが可能となり、より効率的に有効画素領域を設定して、生成される２次元画像データに含まれる不要なデータ領域を削減することができる。
【００８０】
また、本実施形態によれば、画像読み取り部は、小切手Ｓ（もしくはＬ）またはカードＣからの光の受光量に応じた電気信号を生成する複数の光電変換素子を備えた第１または第２画像読み取りセンサ１１，１２と、この電気信号をデジタル信号に変換するＡ／Ｄコンバータ５４と、デジタル信号を一時的に格納するバッファとしてのゲートアレイ５５と、ゲートアレイ５５から転送されるデジタル信号を保存するＲＡＭ５２と、を有している。そして、ゲートアレイ５５は、ＣＰＵ５０によって設定された有効画素領域に対応するデジタル信号のみをＲＡＭ５２に転送するように構成されている。このように構成することにより、有効画素領域に対応するデジタル信号のみを用いてＲＡＭ５２内に生成される２次元画像データのデータ量が小さくなる。したがって、データ生成後に行われる圧縮処理や、データ転送処理におけるデータ読み取り装置１の負荷を軽減させることが可能となる。
【００８１】
また、本実施形態によれば、第１または第２画像読み取りセンサ１１，１２は、小切手Ｓ（もしくはＬ）またはカードＣの表面を読み取る表面画像読み取りセンサと、小切手Ｓ（もしくはＬ）またはカードＣの裏面を読み取る裏面画像読み取りセンサとして構成される。したがって、一度の搬送処理で小切手Ｓ（もしくはＬ）またはカードＣの両面を読み取ることが可能である。
【００８２】
なお、本実施形態では、第１または第２画像読み取りセンサ１１，１２を備えたデータ読み取り装置１を元に説明を行ったが、これに限られることはなく、複数の大きさの媒体を読み取る画像読み取りセンサを備えた画像読み取り装置に適用することが可能である。
【００８３】
【発明の効果】
本発明によれば、画像読み取り部は、制御部によって設定された有効画素領域に応じて、小切手ＳまたはカードＣを読み取る。これにより、生成された２次元画像データは、画像読み取り部により自動的に有効画素領域に対応した部分のみとなるように構成されている。したがって、取得した２次元画像データは、生成された時点で不要なデータを含んでおらず、小切手ＳまたはカードＣの認識に必要な最小限の画像データとなっている。したがって、本発明によれば、生成された２次元画像データのデータ量を小さくすることが可能であり、データ生成後に行われる圧縮処理や、データ転送処理における画像読み取り装置の負荷を軽減させることが可能となる。
【図面の簡単な説明】
【図１】本発明に係る実施形態のデータ読み取り装置を示す斜視図である。
【図２】本発明に係る実施形態のデータ読み取り装置を別の角度から見た斜視図である。
【図３】本発明に係る実施形態のデータ読み取り装置の搬送路を示す図である。
【図４】本発明に係る実施形態のデータ読み取り装置の概略平面図である。
【図５】本発明に係る実施形態のデータ読み取り装置の画像読み取り部を示す概略斜視図である。
【図６】本発明に係る実施形態のデータ読み取り装置の回路構成を示す図である。
【図７】本発明に係る実施形態の読み取り処理の概略を示す模式図である。
【図８】本発明に係る実施形態の読み取り処理の概略を示す模式図である。
【図９】本発明に係る実施形態の読み取り処理を示すフローチャートである。
【図１０】本発明に係る変形例のＢＯＦ検出器を示す図である。
【図１１】本発明に係る変形例の読み取り処理を示すフローチャートである。
【図１２】本発明に係る変形例の読み取り処理を示すフローチャートである。
【符号の説明】
１・・データ読み取り装置  ９・・ＢＯＦ検出器  １１・・第１の画像読み取りセンサ  １２・・第２の画像読み取りセンサ  １３・・ＭＩＣＲ  １４・・印刷ヘッド  ５０・・ＣＰＵ  ５１・・ＲＯＭ  ５２・・ＲＡＭ  ５３・・通信制御部  ５４・・Ａ／Ｄコンバータ  ５５・・ゲートアレイ  １００・・ホストコンピュータ  Ｐ１・・第１搬送路  Ｐ２・・第２搬送路  Ｍ・・中間搬送路
【図１】
2005031971.tif 000003
【図２】
2005031971.tif 000004
【図３】
2005031971.tif 000005
【図４】
2005031971.tif 000006
【図５】
2005031971.tif 000007
【図６】
2005031971.tif 000008
【図７】
2005031971.tif 000009
【図８】
2005031971.tif 000010
【図９】
2005031971.tif 000011
【図１０】
2005031971.tif 000012
【図１１】
2005031971.tif 000013
【図１２】
2005031971.tif 000014